(57)【要約】【課題】従来のブリスターケースでは、包装対象物を直接収納部に収納していたため、包装対象物が収納部と擦れて傷が付いたり、外部からの衝撃力によって包装対象物が破損するおそれがある、という問題があった。【解決手段】包装対象物２０を収納する収納部６が透明又は半透明に形成された包装部材２と、この包装対象物２０の角部に着脱可能に装着される少なくとも２つの緩衝部７を有し且つ包装対象物２０に装着された状態で収納部６に収納されて使用される緩衝部材３と、を設けた。そして、緩衝部材３は、透明又は半透明であって弾性を有する部材により形成した。【選択図】図２
2009179338.tif 000002
【特許請求の範囲】
【請求項１】
包装対象物を収納する収納部が透明又は半透明に形成された包装部材と、
前記包装対象物の角部に着脱可能に装着される少なくとも２つの緩衝部を有し且つ前記包装対象物に装着された状態で前記収納部に収納されて使用される緩衝部材と、を設け、
前記緩衝部材は、透明又は半透明であって弾性を有する部材により形成した
ことを特徴とするブリスターケース。
【請求項２】
前記緩衝部は、前記包装対象物の角部の２面を挟むように略平行に設けられた前面部及び後面部と、前記前面部及び前記後面部間を連結すると共に略直交する方向に展開された２つの側面部とを有し、
前記緩衝部材は、前記緩衝部の２以上の組み合わせによって構成した
ことを特徴とする請求項１に記載のブリスターケース。
【請求項３】
前記緩衝部材は、２つの前記緩衝部を有し、前記２つの緩衝部の、前記前面部間、前記後面部間又は前記側面部間を、所定の間隔を開けて連結する連結部を設けた
ことを特徴とする請求項２に記載のブリスターケース。
【請求項４】
前記緩衝部材は、４つの前記緩衝部を有し、前記４つの緩衝部の、前記前面部間、前記後面部間又は前記側面部間を、所定の間隔を開けて連結する連結部を設けた
ことを特徴とする請求項２に記載のブリスターケース。
【請求項５】
前記緩衝部材は、シリコンゴムからなる
ことを特徴とする請求項１に記載のブリスターケース。
【請求項６】
前記緩衝部は、前記包装対象物と接触する面又は前記収納部と接触する面のうち少なくとも一方の面に１又は２以上の緩衝性を有する突条を設けた
ことを特徴とする請求項１に記載のブリスターケース。
【請求項７】
前記緩衝部は、前記包装対象物と接触する面又は前記収納部と接触する面のうち少なくとも一方の面に１又は２以上の緩衝性を有する突起を設けた
ことを特徴とする請求項１に記載のブリスターケース。
【請求項８】
前記包装部材は、第１のケースと、前記第１のケースに重ね合わされる第２のケースとからなり、前記第１のケースと前記第２のケースの周縁部が互いに重なり合って接合可能である
ことを特徴とする請求項１に記載のブリスターケース。
【請求項９】
前記包装部材は、折曲部を介して互いに連結された第１のケースと第２のケースとを有し、前記折曲部を折り曲げることにより前記第１のケースと前記第２のケースが互いに重なり合って筐体を構成する
ことを特徴とする請求項１に記載のブリスターケース。
【発明の詳細な説明】
【技術分野】
【０００１】
本発明は、電子機器等の包装対象物を透明又は半透明の収納部に収納して包装し、その包装状態で展示、販売などの使用に供されるブリスターケースに関するものである。
【背景技術】
【０００２】
従来の、この種のブリスターケースとしては、例えば、特許文献１に記載されているようなものがある。特許文献１には、商品を梱包して展示、販売などに使用されるブリスターケースに関するものが記載されている。
【０００３】
この特許文献１に記載されたブリスターケースは、第１面と、前記第１面と略等しい形状に前記第１面と一体に成形された第２面とが、境界部分で折曲されて対向し、前記第１面と第２面との間に形成される空間で収納部を構成し、少なくとも収納部の一部を透明もしくは半透明とするブリスターケースである。そして、前記第１面と第２面との境界部分から離間した位置に切断部を前記第１面と第２面との接合部分に設け、前記第１面と第２面との境界部分と対向する端部と、前記切断部との間に、前記第１面と第２面とを接合するよう固定する接着領域を設け、前記境界部分と前記切断部の間に、前記第１面及び第２面を閉塞状態に保持するための嵌合部を形成している。
【０００４】
また、従来のこの種のブリスターケースの他の例としては、特許文献２に記載されているようなものがある。特許文献２には、カメラ及びその付属品を梱包すると共に、当該梱包状態で店頭への陳列展示が可能なカメラ販売用パッケージに関するものが記載されている。
【０００５】
この特許文献２に記載されたカメラ販売用パッケージは、カメラ及びその付属品を梱包すると共に、当該梱包状態で店頭への陳列展示が可能なカメラ販売用パッケージである。そして、前記カメラを収容するカメラ用凹陥部及び前記付属品を収容する付属品用凹陥部がそれぞれ別々に設けられた本体と、前記本体に重ね合わされ、それぞれの凹陥部への収容物を保護する保護カバーと、を有している。
【特許文献１】特開２００５−１２６１０３号公報
【特許文献２】特開２００１−８０６９０号公報
【０００６】
しかしながら、特許文献１に記載されたブリスターケース及び特許文献２に記載されたカメラ販売用パッケージは、ブリスターケースに設けた収納部及びカメラ用凹陥部に直接電子機器等の包装対象物を収納している。このブリスターケースは、収納した商品を保護するために、ある程度の剛性を有する比較的硬度の大きなプラスチック材料で形成されている。その結果、包装対象物としてディスクドライブ装置等の比較的大きな電子機器を収納する場合、ブリスターケースに加えられる振動や衝撃が直接的に包装対象物に伝達されるため、包装対象物が収納部及びカメラ用凹陥部に接触して擦れることで傷が付いたり、落下等によって外部から衝撃力が入力されることで包装対象物が破損するおそれがある、という問題があった。
【発明の開示】
【発明が解決しようとする課題】
【０００７】
解決しようとする問題点は、従来のブリスターケースは、ある程度の強度（剛性）を有するブリスターケースに設けた収納部に直接、包装対象物を収納していた。そのため、運搬時等において、包装対象物が収納部に接触して擦れることで包装対象物に傷が付いたりすることがあり、また、落下した場合には、外部から衝撃力が入力されることで包装対象物が破損するおそれがある、という点である。
【課題を解決するための手段】
【０００８】
本発明のブリスターケースは、包装対象物を収納する収納部が透明又は半透明に形成された包装部材と、包装対象物の角部に着脱可能に装着される少なくとも２つの緩衝部を有し且つ包装対象物に装着された状態で収納部に収納された使用される緩衝部材と、を設けた。そして、緩衝部材は、透明又は半透明であって弾性を有する部材により形成したことを最も主要な特徴とする。
【発明の効果】
【０００９】
本発明のブリスターケースによれば、緩衝部材によって、包装対象物が収納部に接触することを防ぐことができると共に、外部からの衝撃力を緩衝部材で吸収することができるため、包装対象物が収納部と擦れて傷が付いたり、落下等によって外部から衝撃力が入力することで破損することを防止し又は抑制することができる。
【発明を実施するための最良の形態】
【００１０】
包装対象物の角部に着脱可能に装着される少なくとも２つの緩衝部を有し、この包装対象物に装着された状態で収納部に収納されて使用される緩衝部材を設ける。そして、この緩衝部材を透明又は半透明であって弾性を有する部材により形成する。これにより、包装対象物が収納部と擦れて傷が付いたり、外部から衝撃力が入力されることで包装対象物が破損することを防止し又は抑制することができるブリスターケースを、簡単な構成によって実現した。
【００１１】
図１〜図９は、本発明の実施の形態の例を説明するものである。以下に、添付した図面を参照して、本発明の実施の形態の例を説明する。
【００１２】
まず、図１〜図６を参照して本発明のブリスターケースの第１の実施の形態例を説明する。図１は、本発明の第１の実施の形態例（以下、「本例」という）に係るブリスターケースを示す斜視図、図２は、ブリスターケースの分解斜視図である。
図１及び図２に示すブリスターケース１は、透明又は半透明な収納部に包装対象物を外側から見えるように収納して展示、販売等に用いられるものである。ブリスターケース１は、包装対象物を収納する包装部材２と、透明又は半透明の弾性部材によって形成された緩衝部材３を有している。包装部材２は、全体が無色又は有色の透明材料で形成されている。しかしながら、包装対象物が収納される収納部のみを透明又は半透明に構成してもよい。
【００１３】
ここで、本例では、包装対象物の一具体例として、ポータブルＤＶＤプレーヤ２０と、このポータブルＤＶＤプレーヤ２０の付属品であるワイヤレスリモコン２１と、ポータブルＤＶＤプレーヤ２０を持ち運ぶ際や保管する際にポータブルＤＶＤプレーヤ２０を収納する収納ケース２２を適用した例を説明する。ポータブルＤＶＤプレーヤ２０は、偏平な直方体をなす第１の筐体２３と、同じく偏平な直方体をなす第２の筐体２４等を備えて構成されている。第１の筐体２３及び第２の筐体２４は、それぞれに所定の大きさを有する空間部が設けられていると共に、互いに重なり合って積層可能に構成されている。即ち、第１の筐体２３の上に第２の筐体２４が積層され、その第１の筐体２３と第２の筐体２４がヒンジ機構２５によって回動可能に連結されている。
【００１４】
第１の筐体２３内には、ディスクドライブ装置と、このディスクドライブ装置やその他の装置、機器等を制御する制御装置が搭載された図示しない配線基板と、ディスクドライブ装置１０や制御装置等に電力を供給する図示しないバッテリー電源等が収納されている。ディスクドライブ装置は、ディスク状記録媒体を回転駆動すると共にその情報記録部に対して情報信号の再生（読出し）を行うものである。
【００１５】
第２の筐体２４には、周囲にわずかな縁取りを残して開口部２６が設けられている。第２の筐体２４の開口部２６には、その内部に収納された液晶ディスプレイや有機ＥＬディスプレイ、表面電界ディスプレイ等の平面表示パネル２７が臨まれている。平面表示パネル２７の内側には、図示しないが、平面表示パネル２７の背面側に光を当てるバックライトや、平面表示パネル２７の画面を制御する制御装置が搭載された配線基板等が必要に応じて収納されている。そして、各種の情報や画像等が平面表示パネル２７に表示可能に構成されている。また、第２の筐体２４の開口部２６の下方には、各種操作スイッチ２８が配置されていると共に、スピーカ用孔２９が開口している。このスピーカ用孔２９の内側にスピーカが内蔵されている。
【００１６】
ワイヤレスリモコン２１は、偏平は直方体をなしており、操作ボタンと、ポータブルＤＶＤプレーヤ２０に操作情報を送信する送信部を有している。収納ケース２２は、布材や革材または軟質の樹脂材等によってポータブルＤＶＤプレーヤ２０に対応する大きさに形成されている。
【００１７】
なお、本例では、包装対象物としてポータブルＤＶＤプレーヤを用いた例を説明したが、これに限定されるものではなく、例えば、デジタルビデオカメラやデジタルスチルカメラ等の撮像装置、ノート型パーソナルコンピュータ、電子辞書、ＤＶＤプレーヤ、カーナビゲーションその他各種の電子機器等を包装対象物として用いてもよいことは勿論である。
【００１８】
包装部材２は、第１のケースの一具体例である上ケース４と、この上ケース４に重ね合わされる第２のケースの一具体例である下ケース５とから構成されている。この包装部材２は、上ケース４と下ケース５の互いに重なり合う周縁部を接合することにより、互いに結合されて包装に供される。
【００１９】
上ケース４は、略平板状をなしており、略長方形をなす主面部４ａと、この主面部４ａから略長方形状をなして膨出する３つの収納部６ａ，６ｂ，６ｃと、主面部４ａの外周縁から連続する上側段差面部４ｂとを有している。３つの収納部６ａ，６ｂ，６ｃは、上ケース４の主面部４ａから上段差面部４ｂと反対方向に膨出している。
【００２０】
３つの収納部６ａ，６ｂ，６ｃのうち第１の収納部６ａは、主面部４ａの長手方向の一側に形成されている。第１の収納部６ａの大きさは、ポータブルＤＶＤプレーヤ２０よりもやや大きく設定されている。そして、この第１の収納部６ａにポータブルＤＶＤプレーヤ２０が緩衝部材３を装着した状態で収納される。
【００２１】
第２の収納部６ｂは、主面部４ａの長手方向の他側に形成されている。第２の収納部６ｂの大きさは、収納ケース２２よりもやや大きく設定されている。そして、この第２の収納部６ｂに収納ケース２２が収納される。第３の収納部６ｃは、第１の収納部６ａと第２の収納部６ｂの間に形成されている。第３の収納部６ｃの大きさは、ワイヤレスリモコン２１よりもやや大きく設定されている。そして、この第３の収納部６ｃにワイヤレスリモコン２１が収納される。通常、緩衝部材３は、メイン商品であるポータブルＤＶＤプレーヤ２０にのみ用いられ、ワイヤレスリモコン２１等の付属品には使用されないが、これらに用いることもできる。
【００２２】
下ケース５は、略平板状をなしており、上ケース４と略等しい大きさに設定されている。この下ケース５は、略長方形をなす底面部５ａと、底面部５ａの外周縁から連続する下側段差面部５ｂとを有している。底面部５ａは、上ケース４の主面部４ａの大きさと略等しい大きさに設定されている。下側段差面部５ｂは、上ケース４に設けた上側段差面部５ｂと略等しい段差の高さ及び大きさに設定されている。
【００２３】
また、下ケース５は、上ケース４に設けた３つの収納部６ａ，６ｂ，６ｃの開口を底面部５ａで閉じるように上ケース４と対面している。そして、上ケース４と下ケース５が対面した状態で、上ケース４と下ケース５の周縁部に位置する上側段差面部４ｂと下側段差面部５ｂが互いに重なり合っている。この重なり合った上側段差面部４ｂと下側段差面部５ｂが、熱圧着や接着剤を用いた接合方法で接合することによって一体的に連結される。この下ケース５の底面部５ａと上ケース４の３つの収納部６ａ，６ｂ，６ｃで形成される空間内に包装対象物が収納される。
【００２４】
この上ケース４及び下ケース５は、透明な硬質プラスチックを例えば射出成型することにより形成されている。上ケース４及び下ケース５の材料としては、例えば、透明性の優れたＰＶＣ（塩化ビニル樹脂）や、Ａ−ＰＥＴ（ポリエチレンテレフタレート）、ＰＰ（ポリプロピレン）、ＰＳ（ポリエチレン）、低密度ポリエチレン樹脂や非晶性線状ポリエステル樹脂等が挙げられる。
【００２５】
なお、本例では、上ケース４及び下ケース５をそれぞれ透明な硬質プラスチックで形成した例を説明したが、これに限定されるものではない。ブリスターケースは、収納部６に収納した包装対象物を外側から見ることができればよいため、少なくとも収納部６のみが透明又は半透明であればよい。従って、下ケース５は、紙等の不透明な材質で形成し、その表面や裏面に商品名や仕様、説明などの情報が印刷できるようにしてもよい。
【００２６】
また、上ケース４と下ケース５の接合方法として、熱圧着や接着剤を用いた例を説明したが、接合方法は、これに限定されるものではない。この上ケース４と下ケース５の接合方法の他の例としては、例えば、高周波や超音波による溶着接合等を挙げることができる。
【００２７】
なお、本例では、上ケース４に３つの収納部６ａ〜６ｃを形成した例を説明したが、これに限定されるものではなく、包装部材に収納する包装対象物や付属品の数及び大きさに応じて収納部の数及び大きさは、適宜に設定される。例えば、ポータブルＤＶＤプレーヤ２０の付属品としてワイヤレスリモコン２１以外に電源アダプタやヘッドホン等がある場合には、電源アダプタを収納するための電源アダプタ及びヘッドホンの大きさ及び形状に対応した収納部が上ケース４に設けられる。また、収納部６は、上ケース４だけでなく、下ケース５にも設けてもよい、ことは勿論である。
【００２８】
更に、本例では、包装部材２を構成する上ケース４と下ケース５を別部材として説明したが、これに限定されるものではない。例えば、上ケース４と下ケース５を一体に形成してもよい。即ち、上ケース４と下ケース５を、折曲部を介して互いに連結して、この折曲部を折り曲げることにより上ケース４と下ケース５が互いに重なり合うように構成してもよい。
【００２９】
次に、図３〜図６を参照して本例の緩衝部材について説明する。図３は緩衝部材の斜視図、図４は緩衝部材を構成する緩衝部を示す斜視図、図５Ａは正面図、図５Ｂは平面図、図５Ｃは側面図、図６は緩衝部材を包装対象物の一具体例を示すポータブルＤＶＤプレーヤに装着して第１の収納部に収納した状態を示す断面図である。
【００３０】
図２及び図３に示すように、この実施例で示す緩衝部材３は、４つの緩衝部７ａ，７ｂ，７ｃ，７ｄによって構成されている。第１の緩衝部７ａは、ポータブルＤＶＤプレーヤ２０の上部左側の角部２０ａに着脱可能に装着され、第２の緩衝部７ｂは、ポータブルＤＶＤプレーヤ２０の上部右側の角部２０ｂに着脱可能に装着される。同様に、第３の緩衝部７ｃは、ポータブルＤＶＤプレーヤの下部左側の角部２０ｃに着脱可能に装着され、第４の緩衝部７ｄは、ポータブルＤＶＤプレーヤ２０の下部右側の角部２０ｄに着脱可能に装着される。
【００３１】
次に、図４〜図５Ｃを参照して緩衝部７ａ〜７ｄについて説明するが、４つの緩衝部７ａ〜７ｄは、それぞれ同一の構成を有しているため、ここでは、第１の緩衝部７ａについて説明する。
図４〜図５Ｃに示すように、第１の緩衝部７ａは、一面が開口された中空の略三角柱状をなしており、ポータブルＤＶＤプレーヤ２０の角部の形状と対応している。第１の緩衝部７ａは、略直角三角形状の前面部８と、この前面部８と所定の間隔を開けて対向された略直角三角形状の後面部９と、前面部８と後面部９を連結すると共に直交する方向に展開して互いに連結された略四角形状の２つの側面部１１，１２とを有し、これにより、略四角形状に開口した開口部１３が形成されている。２つの側面部１１，１２のうち第１側面部１１は、前面部８及び後面部９の一辺から略垂直をなして連続しており、第２側面部１２は、前面部８及び後面部９の他辺から略垂直をなして連続している。
【００３２】
そして、前面部８と後面部９は、第１の緩衝部７ａをポータブルＤＶＤプレーヤ２０の角部に装着した際、ポータブルＤＶＤプレーヤ２０の角部における対向する２面を挟むように接触する。更に、２つの側面部１１，１２は、第１の緩衝部７ａをポータブルＤＶＤプレーヤ２０の角部に装着した際に、ポータブルＤＶＤプレーヤ２０の角部における直交する方向に展開する２つの側面部に接触する。その結果、第１の緩衝部７ａをポータブルＤＶＤプレーヤ２０に装着すると、ポータブルＤＶＤプレーヤ２０の角部における４面全てが、第１の緩衝部７ａの前面部８、後面部９及び２つの側面部１１，１２と接触する。これにより、応力が集中しやすい角部の４面全てを第１の緩衝部７ａで覆うことができるため、包装対象物であるポータブルＤＶＤプレーヤ２０が外部からの衝撃力によって破損することを防止し又は抑制することが可能である。
【００３３】
この緩衝性能を更に高めるため、各緩衝部７ａ〜７ｄの外面には、ヒレ状をなす多数の緩衝性を有する突条が設けられている。即ち、前面部８、後面部９及ぶ２つの側面部１１，１２における第１の収納部６ａに収納した際に第１の収納部６ａと接触する面側、即ち第１の緩衝部７ａの外側には、複数の突条１４が形成されている。複数の突条１４は、所定の間隔を開けて、前面部８における開口部１３側の一辺と直交する方向に延在し、第１側面部１１又は第２側面部１２を通り、前面部９における開口部１３側の一辺と直交する方向に延在して設けられている。この複数の突条１４により、外部からの衝撃力を吸収することができる。
【００３４】
なお、本例では、突条１４を収納部６と接触する外側の面に設けた例を説明したが、これに限定されるものではなく、例えば、突条１４を包装対象物２０と接触する内側の面に設けてもよく、或いは収納部６と接触する外側の面と包装対象物２０と接触する内側の面の両方に設けてもよい。また、突条１４の延びる方向は、前面部８及び後面部９における開口部１３側の一辺と略平行をなすように設定してもよい。更に、突条ではなく突起を緩衝部における前面部、後面部及び２つの側面部の内側の面及び／又は外側の面に設けてもよい。この突起の数は、１つでもよく、また、２以上設けてもよい。
【００３５】
なお、本例では、図２及び図３に示すように、緩衝部材３の４つの緩衝部７ａ〜７ｄを包装対象物であるポータブルＤＶＤプレーヤ２０の４つ角部２０ａ〜２０ｄ全てに装着した例を説明したが、これに限定されるものではない。少なくとも緩衝部は、２つあればよく、この２つの緩衝部が包装対象物における対向する２つの角部に装着されていれば、目的とする緩衝機能を発揮させることができる。例えば、第１の緩衝部７ａをポータブルＤＶＤプレーヤ２０の上部左側の角部２０ａに装着し、第４の緩衝部７ｄを下部右側の角部２０ｄに装着するだけでもよく、或いは第２の緩衝部７ｂをポータブルＤＶＤプレーヤ２０の上部右側の角部２０ｂに装着し、第３の緩衝部７ｃを下部左側の角部２０ｃに装着するだけでもよい。
【００３６】
図６は、緩衝部材をポータブルＤＶＤプレーヤに装着して第１の収納部に収納した状態を示している。この図６に示すように、緩衝部材３の４つの緩衝部７ａ〜７ｄをポータブルＤＶＤプレーヤ２０の角部に装着して第１の収納部６ａに収納すると共に上ケース４と下ケース５を接合する。このとき、緩衝部材３の緩衝部７ａ〜７ｄは、ポータブルＤＶＤプレーヤ２０と第１の収納部６ａ及び下ケース５の底面部５ａの間に介在される。そのため、ポータブルＤＶＤプレーヤ２０は、緩衝部材３によって第１の収納部６ａと下ケース５の底面部５ａで作る空間内に浮いた状態で収納される。このように、ポータブルＤＶＤプレーヤ２０は、第１の収納部６ａ内で浮いた状態で収納されるため、ポータブルＤＶＤプレーヤ２０と第１の収納部６ａ又は下ケース５の底面部５ａが接触して擦れるおそれがない。これにより、ポータブルＤＶＤプレーヤ２０の表面に傷が付くことを効果的に防止し又は抑制することができる。
【００３７】
また、緩衝部材３は、透明又は半透明で且つ衝撃を吸収するために弾性を有する材料で形成されている。緩衝部材３の材質としては、例えば、シリコンゴムやウレタンゴム等の合成ゴム、天然ゴム、気泡緩衝材等を挙げることができる。特に、シリコンゴムによれば、接触する包装対象物に対して化学的作用を与えることがなく、且つ耐熱性に優れている等の観点から緩衝部材３の材質として好適である。このように、緩衝部材３を透明又は半透明の材料で形成することにより、包装対象物に装着した際に包装対象物が緩衝部材によって見えなくなることを防ぐことができる。これにより、包装した状態で包装対象物を外側から見ることができるというブリスターケースの特性が損なわれることを防止できる。
【００３８】
更に、緩衝部材３は、弾性を有する材料で形成しているため、外部からの衝撃力を緩衝部材３の弾性力により吸収することができる。その結果、落下等によりブリスターケース１に外部から衝撃力が入力された場合、緩衝部材３によりポータブルＤＶＤプレーヤ２０に入力される衝撃力を軽減することができる。これにより、ポータブルＤＶＤプレーヤ２０が破損することをより効果的に防止し又は抑制することが可能である。
【００３９】
このような構成を有する本例のブリスターケース１によれば、包装した状態で包装対象物を外側から見ることができるというブリスターケースの特性を損なうことなく、包装対象物に傷が付いたり、外部からの衝撃力によって破損することを防止し又は抑制することができる。
【００４０】
このような構成を有するブリスターケース１は、例えば、次のようにして包装対象物を包装することができる。まず、図２及び図３に示すように、ポータブルＤＶＤプレーヤ２０の４つの角部に、緩衝部材３の４つの緩衝部７ａ〜７ｄを、ポータブルＤＶＤプレーヤ２０の４つの角部２０ａ〜２０ｄに装着する。すると、各緩衝部７ａ〜７ｄの前面部８と後面部９が、ポータブルＤＶＤプレーヤ２０の角部における対向する２面に接触すると共に、２つの側面部１１，１２が、ポータブルＤＶＤプレーヤ２０の角部における直交する方向に展開する２つの側面部に接触する。この緩衝部材３が装着されたポータブルＤＶＤプレーヤ２０を上ケース４に設けられた第１の収納部６ａに収納する。そして、第２の収納部６ｂに収納ケース２２を収納すると共に第３の収納部６ｃにワイヤレスリモコン２１を収納する。
【００４１】
次に、３つの収納部６ａ〜６ｃ内に包装対象物を収納した状態で、３つの収納部６ａ〜６ｃの開口を閉じるように、下ケース５を上ケース４に重ね合わせる。すると、図６に示すように、緩衝部材３の４つの緩衝部７ａ〜７ｄは、ポータブルＤＶＤプレーヤ２０と第１の収納部６ａ及び下ケース５の底面部５ａの間に介在される。そのため、ポータブルＤＶＤプレーヤ２０は、緩衝部材３によって第１の収納部６ａと底面部５ａで作る空間内に浮いた状態で収納される。そして、互いに重なり合っている上ケース４の上側段差面部４ｂと下ケース５の側段差面部５ｂを熱溶着より接合する。これにより、ブリスターケース１による包装対象物（本例では、ポータブルＤＶＤプレーヤ２０、ワイヤレスリモコン２１、収納ケース２２）の包装作業が完了する。
【００４２】
なお、本例では、緩衝部材３の緩衝部７をポータブルＤＶＤプレーヤ２０にのみ装着した例を説明したが、付属品であるワイヤレスリモコン２１や収納ケース２２に緩衝部材の緩衝部７を装着してもよいことは、言うまでもない。そして、緩衝部材３の緩衝部７の大きさ及び形状は、装着する包装対象物の角部における大きさ及び形状に対応するように設定される。
【００４３】
次に、図７を参照して緩衝部材の第２の実施形態の例を説明する。図７は、緩衝部材の第２の実施形態の例を示す斜視図である。この第２の実施形態の例に係る緩衝部材３Ａは、２つの緩衝部を連結して１個の緩衝片を形成し、その緩衝片の２個で１つの緩衝部材を構成したものである。
【００４４】
即ち、緩衝部材３Ａは、第１の緩衝片１５ａと第２の緩衝片１５ｂから構成されている。第１の緩衝片１５ａは、第１の緩衝部７ａと第３の緩衝部７ｃを、第１の連結部１６ａを介して所定の間隔を開けて連結して形成されている。第１の連結部１６ａは、略長方形状をなしており、長手方向の一端が第１の緩衝部７ａの第１側面部１１に連続して接続しており、他端が第３の緩衝部７ｃＡの第２側面部１２に連続して接続している。そして、第１の緩衝片１５ａにおける第１の緩衝部７ａの第１側面部１１から第１の連結部１６ａを介して第３の緩衝部７ｃの第２側面部１２までの長さは、第１の緩衝片１５ａを装着する包装対象物の側面部の長さと略等しく設定されている。
【００４５】
同様に、第２の緩衝片１５ｂは、第２の緩衝部７ｂと第４の緩衝部７ｄを、第２の連結部１６ｂを介して所定の間隔を開けて連結して形成されている。第２の連結部１６ｂは、略長方形状をなしており、長手方向の一端が第２の緩衝部７ｂの第２側面部１２に連続して接続しており、他端が第４の緩衝部７ｄの第１側面部１１に連続して接続している。そして、第２の緩衝片１５ｂにおける第２の緩衝部７ｂの第２側面部１２から第２の連結部１６ｂを介して第４の緩衝部７ｄの第２側面部１１までの長さは、第２の緩衝片１５ｂを装着する包装対象物側面部の長さと略等しく設定されている。
【００４６】
その他の構成は、前記第１の実施形態の例に係る緩衝部材３と同様であるため、それらの説明は省略する。このような、構成を有する緩衝部材３Ａによっても、前述した第１の実施形態の例に係る緩衝部材３と同様の効果を得ることができる。
【００４７】
なお、第２の実施形態の例に係る緩衝部材３Ａでは、第１の緩衝部７ａと第３の緩衝部７ｃを所定の間隔を開けて連結し、第２の緩衝部７ｂと第４の緩衝部７ｄを所定の間隔を開けて連結した例を説明したが、これに限定されるものではなく、隣り合う２つの緩衝部を、連結部を介して接続すればよい。例えば、第１の緩衝部７ａと第２の緩衝部７ｂを接続し、第３の緩衝部７ｃと第４の緩衝部７ｄを接続してもよい。また、連結部を側面部に連続して設けた例を説明したが、これに限定されるものではなく、例えば、２つの緩衝部を連結する連結部を、前面部又は後面部から連続して形成してもよい。
【００４８】
また、第２の実施形態の例に係る緩衝部材３Ａによれば、２つの緩衝部を連結部により連結して一体に形成することにより、前述した第１の実施形態の例に係る緩衝部材３よりも部品点数を削減することができる。更に、緩衝部材３Ａを包装対象物に装着した際に、包装対象物の側面部に第１の緩衝片１５ａの第１の連結部１６ａと第２の緩衝片１５ｂの第２の連結部１６ｂが接触する。これにより、前述した第１の実施形態の例に係る緩衝部材３よりも側面から入力される衝撃力に対して包装対象物をより効果的に保護することができます。
【００４９】
次に、図８を参照して緩衝部材の第３の実施形態の例を説明する、図８は、緩衝部材の第３の実施形態の例を示す斜視図である。この第３の実施形態の例に係る緩衝部材３Ｂは、４つの緩衝部を連結して１つの緩衝部材として構成したものである。
【００５０】
即ち、前述した第２の実施形態に係る緩衝部材３Ａにおける第１の緩衝部７ａと第２の緩衝部７ｂを、第３の連結部１６ｃを介して所定の間隔を開けて連結すると共に、第３の緩衝部７ｃと第４の緩衝部７ｃを、第４の連結部１６ｄを介して所定の間隔を開けて連結したものである。
【００５１】
第３の連結部１６ｃは、略長方形状をなしており、長手方向の一端が第１の緩衝部７ａの第２側面部１２に連続して接続しており、他端が第２の緩衝部７ｂの第１側面部１１に連続して接続している。同様に、第４の連結部１６ｄは、略長方形状をなしており、長手方向の一端が第３の緩衝部７ｃの第１側面部１１に連続して接続しており、他端が第４の緩衝部７ｄの第２側面部１２の連続して接続している。その結果、緩衝部材３Ｂは、４つの緩衝部７ａ〜７ｄが、４つの連結部１６ａ〜１６ｄによって一体に接続されている。そして、この４つの緩衝部７ａ〜７ｄと４つの連結部１６ａ〜１６ｄで囲まれた略四角形状の空間内に包装対象物が配置される。なお、４つの連結部１６ａ〜１６ｄは、緩衝部材３Ｂを包装対象物に容易に装着するために伸縮性に優れた材質で形成されることが好ましい。
【００５２】
その他の構成は、前記第１の実施形態の例に係る緩衝部材３と同様であるため、それらの説明は省略する。このような、構成を有する緩衝部材３Ｂによっても、前述した第１の実施形態の例に係る緩衝部材３と同様の効果を得ることができる。
【００５３】
また、この第３の実施形態の例に係る緩衝部材３Ｂによっても前述した第２の実施形態の例に係る緩衝部材３Ａと同様に、第３及び第４の連結部を緩衝部の前面部又は後面部から連続して形成してもよい。
【００５４】
なお、第３の実施形態の例に係る緩衝部材３Ｂによれば、包装対象物に装着した際に、４つの連結部１６ａ〜１６ｄによって、包装対象物の側面部全体を覆うことができる。これにより、前述した第１の実施の形態の例に係る緩衝部材３よりも、側面から入力される衝撃力に対してより効果的に包装対象物を保護することができる。
【００５５】
次に、図９を参照して緩衝部材の第４の実施形態の例を説明する。図９は、緩衝部材の第４の実施形態の例を示す斜視図である。この第４の実施形態の例に係る緩衝部材７Ｃは、４つの緩衝部７ａ〜７ｄの後面部９を略平板状をなすベース部１７を介して一体に接続したものである。即ち、緩衝部材３Ｃは、略平板状のベース部１７を有しており、その４つの角部からそれぞれ４つの緩衝部７ａ〜７ｄを構成する第１及び第２側面部１１，１２が略垂直をなして連続している。このベース部１７の大きさは、包装対象物の背面部の大きさと略等しく設定されている。
【００５６】
その他の構成は、前記第１の実施形態の例に係る緩衝部材３と同様であるため、それらの説明は省略する。このような、構成を有する緩衝部材３Ｃによっても、前述した第１の実施形態の例に係る緩衝部材３と同様の効果を得ることができる。
【００５７】
なお、本実施の形態例に係る緩衝部材３Ｃによれば、包装対象物の背面部の略全面がベース部１７により覆われる。これにより、包装対象物が下ケース５の底面部５ａと擦れて背面部に傷が付くことを防止できるだけでなく、包装対象物の背面部側から入力される衝撃力によって包装対象物が破損することを効果的に防止し又は抑制することが可能である。
【００５８】
また、第４の実施形態の例に係る緩衝部材３Ｃでは、ベース部１７が緩衝部７の後面部９と一体をなして形成された例を説明したが、これに限定されるものではなく、例えば、ベース部１７を緩衝部７の前面部８と連続して形成してもよい。この場合、包装対象物の正面部の略全面がベース部１７により覆われるため、包装対象物の正面部が包装部材２の収納部６ａと擦れて傷が付くおそれがないだけでなく、包装対象物を本発明のブリスターケースに収納して展示した際に、ユーザーから目に付きやすい包装対象物の正面部を保護することができる。また、緩衝部材は、透明又は半透明な材質で形成されているため、緩衝部の前面部側にベース部を設けて包装対象物の正面部を覆っても、包装対象物が見えなくなることはない。これにより、包装した状態で包装対象物を外側から見ることができるというブリスターケースの特性が損なわれることを防止できる。
【００５９】
本発明は、前述しかつ図面に示した実施の形態に限定されるものではなく、特許請求の範囲に記載した要旨を逸脱しない範囲内で種々の変形実施が可能である。例えば、前記実施の例では、緩衝部材の緩衝部を４つ設けた例について説明したが、包装対象物が五角形状や六角形状等の場合、包装対象物の形状に合わせて４つ以上設けてもよい。また、緩衝部材の緩衝部の形状を包装対象物の角部の形状に対応させて、三角柱状に形成した例を説明したが、緩衝部の形状は、包装対象物の角部の形状に対応させて、円形や楕円形等の形状に形成してもよい。
【図面の簡単な説明】
【００６０】
【図１】本発明のブリスターケースの第１の実施の形態を示す斜視図である。
【図２】本発明のブリスターケースの第１の実施の形態を示す分解斜視図である。
【図３】本発明の緩衝部材の第１の実施の形態を示す斜視図である。
【図４】本発明の緩衝部材の第１の実施の形態に係る緩衝部の斜視図である。
【図５】本発明の緩衝部材の第１の実施の形態に係る緩衝部を示すもので、図５Ａは正面図、図５Ｂは平面図、図５Ｃは側面図である。
【図６】本発明のブリスターケースの第１の実施の形態に係る緩衝部材を包装対象物に装着して包装部材の収納部に収納した状態を示す断面図である。
【図７】本発明のブリスターケースの第２の実施の形態に係る緩衝部材を示す斜視図である。
【図８】本発明のブリスターケースの第３の実施の形態に係る緩衝部材を示す斜視図である。
【図９】本発明のブリスターケースの第４の実施の形態に係る緩衝部材を示す斜視図である。
【符号の説明】
【００６１】
１…ブリスターケース、  ２…包装部材、  ３，３Ａ，３Ｂ，３Ｃ…緩衝部材、  ４…上ケース（第１のケース）、  ５…下ケース（第２のケース）、  ６，６ａ，６ｂ，６ｃ…収納部、  ７，７ａ，７ｂ，７ｃ，７ｄ…緩衝部、  ８…前面部、  ９…後面部、  １１…第１側面部、  １２…第２側面部、  １４…突条、  １５ａ，１５ｂ…緩衝片、  １６ａ，１６ｂ，１６ｃ，１６ｄ…連結部、  １７…ベース部、  ２０…ポータブルＤＶＤプレーヤ（包装対象物）
【図１】
2009179338.tif 000003
【図２】
2009179338.tif 000004
【図３】
2009179338.tif 000005
【図４】
2009179338.tif 000006
【図５】
2009179338.tif 000007
【図６】
2009179338.tif 000008
【図７】
2009179338.tif 000009
【図８】
2009179338.tif 000010
【図９】
2009179338.tif 000011